(57)【特許請求の範囲】
【請求項１】
床面に沿って配設されたベース部材と、
前記ベース部材から立設するように設けられた支柱と、
前記支柱の側壁から水平に延出するように設けられた作業台と、
前記作業台に回動自在に支持された回転テーブルと、
前記作業台から延出するように設けられた肘掛部と、
前記回転テーブルを回動する駆動源と、
を備え、
前記回転テーブルに陶芸材料を載置して該回転テーブルを回動させ、陶芸作品を造形する陶芸用ろくろ装置であって、
前記支柱は、
前記ベース部材に下端が固定された第一の支柱と、
第一の支柱が軸方向にスライド自在に挿通された筒状の第二の支柱と、
によって構成され、
前記回転テーブル、前記作業台、前記肘掛部、前記駆動源が前記第二の支柱に支持され、
前記第一の支柱に対して前記第二の支柱を上下にスライドするスライド機構を備えている、
ことを特徴とする陶芸用ろくろ装置。
【請求項２】
前記スライド機構は、
前記第二の支柱の内方において、該第二の支柱の軸方向に沿って配設されると共に該第二の支柱に回動自在に支持され、軸方向に沿って螺旋状のねじが形成されたシャフトと、
前記第一の支柱に設けられ、前記螺旋状のねじが螺合する雌ねじと、
回転軸が垂直に配設され、前記シャフトの上端部に固定された第一の傘歯車と、
回転軸が水平方向に配設され、前記第一の傘歯車に噛合する第二の傘歯車と、
軸が水平方向に配設され、一端が前記第二の傘歯車の回転中心に接続されると共に他端が前記第二の支柱の外方に突き出し、該第二の支柱に回動自在に支持された第二傘歯車回転軸と、
前記第二の支柱の外方に配設され、前記第二の傘歯車回転軸の他端に固定されたハンドルと、
を備えていることを特徴とする請求項１に記載の陶芸用ろくろ装置。
【請求項３】
前記駆動源が前記回転テーブルと前記支柱との間に配設され、前記駆動源を介して前記支柱との反対側において、前記作業台及び前記回転テーブルの下方に空間部が構成されている、
ことを特徴とする請求項１又は請求項２に記載の陶芸用ろくろ装置。
【請求項４】
前記肘掛部は、
前記回転テーブルを介して前記支柱とは反対方向に前記作業台から延出し、且つ、その延出方向と直交する向きにおいて、前記回転テーブルの両外方に構成されている、
ことを特徴とする請求項１乃至請求項３の何れか記載の陶芸用ろくろ装置。
【請求項５】
前記肘掛部は、
前記回転テーブルの中心から前記支柱を結ぶ直線方向において、その端部が、前記回転テーブルの前記支柱とは反対側の端部から略１００ｍｍ、
且つ、前記直線方向に直交する向きにおいて、その内側寸法が略４００ｍｍ、その外側寸法が略９００ｍｍ、
に形成されていることを特徴とする請求項１乃至請求項４の何れか記載の陶芸用ろくろ装置。
【請求項６】
前記作業台の上面に沿って配設され、前記駆動源の回動速度を操作するためのレバーと、
軸方向が垂直に配設され、該作業台に回動自在に支持されると共に、前記作業台を上下に貫通して一端側に前記レバーとの係合部を有するレバー回転軸と、
前記レバー回転軸の回動に応じて、前記駆動源の回動速度を制御する駆動制御装置と、
を備え、
前記レバー回転軸と前記レバーとの係合部が、前記レバー回転軸の軸方向にスライドして係合する複数のスプライン溝及び凸部によって構成され、前記レバー回転軸に対する前記レバーの係合位置を、レバー回転軸の周方向に沿って任意に設定できるように構成されている、
ことを特徴とする、
請求項１乃至請求項５の何れか記載の陶芸用ろくろ装置。
【発明の詳細な説明】
【技術分野】
【０００１】
本発明は、陶芸品の材料となる粘土を好みの形に造りあげる際に使用する陶芸用ろくろ装置に関する。
【背景技術】
【０００２】
従来、ケーシングの上面に回転自在に取付けられ粘土を載置する回転テーブルと、回転テーブルを回転駆動する駆動モータと、モータの速度を調整するための速度調整用のレバー又はペダルと、レバー又はペダルの操作に応じてモータの回転速度を制御する駆動制御装置とを備え、回転テーブルを回転させながら粘土に力を加え、粘土を好みの形に造りあげる陶芸用ろくろ装置が知られている（例えば、特許文献１参照）。さらには、回転テーブルの周辺に、作業台を設置したものや、作業台とは別に肘掛部を設置した陶芸用ろくろ装置もある。
【０００３】
また、近年、足の不自由な人々に車椅子が普及するに伴い、車椅子に着座した人々にも陶芸が好まれるようになってきている。そして、足の不自由な人々には、車椅子に着座した姿勢で陶芸作業を快適に行うことができる陶芸用ろくろ装置が求められている。
【特許文献１】特開２００３−１７５５０７号公報
【発明の開示】
【発明が解決しようとする課題】
【０００４】
陶芸用ろくろ装置において、車椅子に着座した姿勢では、立って作業する場合に較べ、回転テーブルや作業台の高さが陶芸における作業性に大きく影響を及ぼす。しかしながら、一般に、回転テーブル、作業台及び肘掛部等の床面からの高さが、車椅子に着座した姿で自在に調整できるように構成されていないので、車椅子を使用する陶芸作業者にとって陶芸作業が困難になる虞があるという問題があった。
【０００５】
そこで、本発明は、陶芸作業者が車椅子に着座した姿で快適に陶芸作業が行えるように、回転テーブル、作業台及び肘掛部の高さを自在に調整できる陶芸用ろくろ装置を提供することを目的とする。
【課題を解決するための手段】
【０００６】
かかる目的を達成するためになされた請求項１に記載の発明は、床面に沿って配設されたベース部材と、前記ベース部材から立設するように設けられた支柱と、前記支柱の側壁から水平に延出するように設けられた作業台と、前記作業台に回動自在に支持された回転テーブルと、前記作業台から延出するように設けられた肘掛部と、前記回転テーブルを回動する駆動源と、を備え、前記回転テーブルに陶芸材料を載置して該回転テーブルを回動させ、陶芸作品を造形する陶芸用ろくろ装置であって、前記支柱は、前記ベース部材に下端が固定された第一の支柱と、第一の支柱が軸方向にスライド自在に挿通された筒状の第二の支柱と、によって構成され、前記回転テーブル、前記作業台、前記肘掛部、前記駆動源が前記第二の支柱に支持され、前記第一の支柱に対して前記第二の支柱を上下にスライドするスライド機構を備えている、ことを特徴とする。
【０００７】
請求項１に記載の陶芸用ろくろ装置によれば、支柱が、ベース部材に下端が固定された第一の支柱と、第一の支柱が軸方向にスライド自在に挿通された筒状の第二の支柱とによって構成され、回転テーブル、作業台、肘掛部、駆動源が第二の支柱に支持され、第一の支柱に対して前記第二の支柱を上下にスライドするスライド機構を備えているので、陶芸作業者がスライド機構を操作し、回転テーブル、作業台、肘掛部を好みの高さに調整でき、延いては、陶芸作業者が車椅子に着座した姿で快適に陶芸作業を行うことができる。
【０００８】
また、請求項１に記載の陶芸用ろくろ装置は、請求項２に記載の発明のように、前記スライド機構が、前記第二の支柱の内方において、該第二の支柱の軸方向に沿って配設されると共に該第二の支柱に回動自在に支持され、軸方向に沿って螺旋状のねじが形成されたシャフトと、前記第一の支柱に設けられ、前記螺旋状のねじが螺合する雌ねじと、回転軸が垂直に配設され、前記シャフトの上端部に固定された第一の傘歯車と、回転軸が水平方向に配設され、前記第一の傘歯車に噛合する第二の傘歯車と、軸が水平方向に配設され、一端が前記第二の傘歯車の回転中心に接続されると共に他端が前記第二の支柱の外方に突き出し、該第二の支柱に回動自在に支持された第二傘歯車回転軸と、前記第二の支柱の外方に配設され、前記第二の傘歯車回転軸の他端に固定されたハンドルと、を備えていることにより、ハンドルを回転させ、回転テーブル、作業台及び肘掛部の高さを容易に調整できる。つまり、ハンドルを第二の傘歯車回転軸と共に回動させると、その回動動作が第ニの傘歯車及び第一の傘歯車を介してシャフトに伝達し、シャフトが回動することにより前記第二の支柱が上下にスライドする。
【０００９】
また、ハンドルが支柱の側方に備えられているので、車椅子に着座した陶芸作業者が、ハンドルに向い合うことができ、ハンドルが支柱の上方に備えられている場合に較べ、ハンドルを容易に操作できる。
【００１０】
次に、請求項１又は請求項２に記載の陶芸用ろくろ装置は、請求項３に記載の発明のように、前記駆動源が前記回転テーブルと前記支柱との間に配設され、前記駆動源を介して前記支柱との反対側において、前記作業台及び前記回転テーブルの下方に空間部が構成されていることにより、車椅子に着座した陶芸作業者が、自らの脚部や車椅子に備えられたオットマン（足凭れ部）をこの空間部に収納でき、快適に陶芸作業を行うことができる。
【００１１】
また、請求項１乃至請求項３の何れか記載の陶芸用ろくろ装置は、請求項４に記載の発明のように、前記肘掛部が、前記回転テーブルを介して前記支柱とは反対側において前記作業台の縁端から延出し、且つ、その延出方向と直交する向きにおいて、前記回転テーブルの両外方に構成されていることにより、車椅子に着座した陶芸作業者が、回転テーブルを介して支柱とは反対側に位置し、肘部を肘掛部に当てて腕を支え、快適に陶芸作業を行うことができる。
【００１２】
また、請求項１乃至請求項４の何れか記載の陶芸用ろくろ装置は、請求項５に記載の発明のように、前記肘掛部は、前記回転テーブルの中心から前記支柱を結ぶ直線方向において、その端部が、前記回転テーブルの前記支柱とは反対側の端部から略１００ｍｍ、且つ、前記直線方向に直交する向きにおいて、その内側寸法が略４００ｍｍ、その外側寸法が略９００ｍｍ、に形成されていることが好ましい。これにより、車椅子に着座した陶芸作業者が、肘部を肘掛部に当てて、陶芸作業に楽な姿勢を維持できる。
【００１３】
また、請求項１乃至請求項５の何れか記載の陶芸用ろくろ装置は、請求項６に記載の発明のように、前記作業台の上面に沿って配設され、前記駆動源の回動速度を操作するためのレバーと、軸方向が垂直に配設され、該作業台に回動自在に支持されると共に、前記作業台を上下に貫通して一端側に前記レバーとの係合部を有するレバー回転軸と、前記レバー回転軸の回動に応じて、前記駆動源の回動速度を制御する駆動制御装置とを備え、前記レバー回転軸と前記レバーとの係合部が、前記レバー回転軸の軸方向にスライドして係合する複数のスプライン溝及び凸部によって構成され、前記レバー回転軸に対する前記レバーの係合位置を、レバー回転軸の周方向に沿って任意に設定できるように構成されていることにより、陶芸作業者がレバーを陶芸作業に快適な向きに設定でき、駆動源の回動速度を調整するための操作性を向上できる。
【発明の効果】
【００１４】
本発明の陶芸用ろくろ装置によれば、車椅子に着座した陶芸作業者が、スライド機構を操作して回転テーブル、作業台、肘掛部等を好みの高さに容易に調整でき、快適に陶芸作業を行える。また、車椅子に着座した陶芸作業者が、自らの脚部や車椅子に備えられたオットマン（足凭れ部）を回転テーブル、作業台及び肘掛部の下方に収納し、快適な姿勢で陶芸作業を行える。また、陶芸作業者が、肘を肘掛部に当てて腕を支え、陶芸作業に楽な姿勢を維持できる。
【発明を実施するための最良の形態】
【００１５】
次に、本発明の陶芸用ろくろ装置の一実施例を図面にもとづいて説明する。図１は本発明の一実施例の陶芸用ろくろ装置の正面図であって、１部を破断してその内部構成を表している。また、図２は図１におけるＡ−Ａ断面図、図３は図２におけるＰ部詳細図、図４は図１における矢視Ｆ図、図５は図１におけるＢ−Ｂ断面図である。
【００１６】
図１、図２に表したように、陶芸用ろくろ装置１は、床面４３に沿って配設されたベース部材２、ベース部材２から立設する支柱３、支柱３の側壁に固定され水平に延出する作業台４、作業台４にテーブル回転軸２０を介して回動自在に支持された回転テーブル５、回転テーブル５の外周を覆うように作業台４上に設置されたどべ受け１６、回転テーブル５を回動する駆動モータ（所謂、本発明の駆動源である。）７、駆動源７の回転軸７ａに固定されたプーリ１７、上端側が回転テーブルに固定されると共に下端側がプーリ１８に固定され作業台４に回動自在に支持されたテーブル回転軸２０、等を備えている。
【００１７】
前記ベース部材２は、円形断面を有する棒材を略コの字状に折曲した形状を有し、その下方に、床４３に当接して当該陶芸用ろくろ装置１を支持する支持具３５〜３８、床４３上を回動するローラを備えたキャスタ３９〜４２が固定されている。
【００１８】
次に、図３に表したように、支柱３は、ベース部材２に下端が固定された筒状の第一の支柱３ａと、第一の支柱３ａが軸方向にスライド自在に挿通された筒状の第二の支柱３ｂと、第二の支柱３ｂの上方開口部を覆うように第二の支柱３ｂに固定された蓋部３ｃとによって構成されている。
【００１９】
また、陶芸用ろくろ装置１は、第二の支柱３ｂの内方に、軸方向に沿って螺旋状のねじ９ａが形成されたシャフト９が配設され、第一の支柱３ａの上端側には、螺旋状のねじ９ａが螺合する雌ねじを備えたナット８が固定されている。
【００２０】
また、蓋３ｃの内側には、シャフト９を回動自在に支持する軸受１５が固定されている。シャフト９は、その上端部が軸受１５に備えられた貫通孔に挿通され、回動自在に支持され、下方においては螺旋状のねじ９ａがナット８に螺合している。
【００２１】
次に、陶芸用ろくろ装置１は、回転軸が垂直に配設され、軸受１５の下方においてシャフト９に固定された第一の傘歯車１０、回転軸が水平方向に配設され、第一の傘歯車１０に噛合する第二の傘歯車１２、軸方向が水平に配設され、一端が第二の傘歯車１２の回転中心に接続されると共に他端が第二の支柱３ｂの外方に突き出し、第二の支柱３ｂに回動自在に支持された第二傘歯車回転軸１３、第二の支柱３ｂの外方に配設され、第二の傘歯車回転軸１３の他端に固定されたハンドル１４、等を備えている。
【００２２】
また、第二の傘歯車回転軸１３は、第二の支柱３ｂに固定された軸受３０にボールベアリング２８、２９を介して回動自在に支持されている。また、ハンドル１４には、使用者が把持するための取っ手１４ａが備えられている。
【００２３】
そして、ハンドル１４を垂直面に沿って回動させると、第二の傘歯車回転軸１３と共に第二の傘歯車１２が回動し、その回動が第一の傘歯車１０に伝達してシャフト９が回動し、ナット８と螺旋状のねじ９ａとの螺合により、シャフト９が第二の支柱３ｂと共に上下にスライドする。
【００２４】
次に、図２に表したように、第二の支柱３ｂの側壁には取付板３１が固定され、この取付板３１に、ケーシング２、駆動モータ７を駆動するための駆動制御装置２２が固定されている。また、ケーシングの上面に作業台４が肘掛部（図５中の符号６）と共に載置されて固定され、ケーシング２１内において、駆動モータ７が取付金具２４、２４ａを介してケーシング２１に固定されている。つまり、取付板３１及びケーシング２１を介して、作業台４、駆動モータ７、駆動制御装置２２、肘掛部（図５中の符号６）等が第二の支柱３ｂに支持されている。
【００２５】
また、作業台４は、その下方に作業台固定具４ａを備え、作業台固定具４ａを介してケーシング２１に固定されている。
【００２６】
また、駆動モータ７は、ケーシング２１内に立直姿勢で取り付けられ、その上方に駆動モータ７の回転軸７ａを露出せしめ、回転軸７ａにはプーリ１７が固定されている。
【００２７】
次に、図２に表したように、駆動モータ７を介して支柱３とは反対側において、回転テーブル５と同軸状に、テーブル回転軸２０及びホルダー２５が配設されている。
【００２８】
ホルダー２５は、作業台４にボルト等によって固定され、その内方にボールベアリング２６、２７を支持している。さらにボールベアリング２６、２７の内側にはテーブル回転軸２０が回動自在に支持され、テーブル回転軸２０の下端にプーリ１８が固定されている。また、テーブル回転軸２０には、テーブル回転軸２０が下方に移動しないように、ボールベアリング２６の内輪の上端に当接する図示されない止め輪が係合し、テーブル回転軸２０が上方に移動しないように、ボールベアリング２７の内輪の下端に当接する図示されない止め輪が係合している。
【００２９】
また、プーリ１７とプーリ１８との周囲には、ベルト１９が旋回されており、駆動モータ７が回転駆動するとプーリ１７がモータ回転軸１７ａと共に回動し、その回動がベルト１９を介してプーリ１８に伝達され、テーブル回転軸２０と共に回転テーブル５が回動する。
【００３０】
また、図１に表したように、作業台４の下方に、電源スイッチ５４及び回転テーブル５の回転方向を切り換えるためのスイッチ５５等が設けられ、これらが駆動制御装置２２に電気的に接続されている。
【００３１】
また、図２に表したように、駆動モータ７及び駆動制御装置２２は、回転テーブル５と支柱３との間に配設され、駆動モータ７を介して支柱３との反対側において、作業台４及び回転テーブル５の下方に空間部Ｈが構成される。
【００３２】
次に、図４に表したように、陶芸用ろくろ装置１には、肘掛部４ｅが、回転テーブル５を介して支柱３とは反対方向に作業台４から延出し、且つ、その延出方向と直交する向きにおいて、回転テーブル５の両側外方に構成されている。
【００３３】
また、この際、回転テーブルの外径Ａは略３００ｍｍであって、肘掛部４ｅは、回転テーブル５の中心から支柱３を結ぶ直線方向において、その端部が、回転テーブルの前記支柱とは反対側の端部から略１００ｍｍ（図中のＡ寸法）、且つ、この直線方向に直交する向きにおいて、その内側寸法が略４００ｍｍ（図中のＣ寸法）、その外側寸法が略９００ｍｍ（図中のＢ寸法）に形成されている。
【００３４】
次に、図５に表したように、陶芸ろくろ装置１は、その軸５３ａが作業台４の上面に沿って配設され、駆動モータ７の回動速度を操作するためのレバー５３、軸方向が垂直に配設され、作業台４に回動自在に支持されると共に、作業台４を上下に貫通して一端側にレバー５３との係合部を有するレバー回転軸６６、レバー回転軸６６の回動に応じて、駆動制御装置２２に所定の電圧気信号を印加するポテンションンメータ６３、等を備えている。また、
【００３５】
また、レバー回転軸６６は、作業台４に固定されたホルダー６１に回動自在に挿通され、支持具６８によって上下に支持されている。また、レバー回転軸６６の下端部に、外周に螺旋状のねじが形成されたねじ部材６７が固定されている。また、ポテンションメータ６３は、取付金具６２によってホルダー６１に固定されている。また、ポテンションメータ６３には回転軸６４が備えられ、この回転軸６４に外周に螺旋状のねじが形成され、ねじ６７に螺合するねじ部材６５が固定されている。そして、レバー回転軸はポテンショメータにねじ部材６７と、６５を介して連結され、レバー５３の回動量に応じた電圧を発生し、駆動制御装置２２がこの電圧に応じて駆動モータ７の速度を制御する。
【００３６】
軸５３ａの一端には、作業者が把持して操作するための取っ手５３ｂが備えられ、軸５３ａの他端には、レバー回転軸６６に係合する係合部５３ｃが備えられている。
【００３７】
レバー回転軸６６の係合部５３ｃとレバー５３との係合は、互いに上下にスライドするスプライン溝及び凸部（図示せず）によって構成され、レバー回転軸６６に対するレバー５３の係合位置が、レバー回転軸６６の周方向に沿って任意に変えることができるように構成されている。
【００３８】
つまり、互いに係合しているレバー５３とレバー回転軸６６との回転方向の位置を変える際には、レバー５３を引き上げてスプライン溝と凸部との係合を解除し、次いで、レバー５３を任意の位置に回転し、その後、レバー５３を押し下げてスプライン溝と凸部を互いに係合するように構成されている。
【００３９】
以下に、前記の構成を有する実施例の陶芸用ろくろ装置１の作用効果を記載する。
【００４０】
本実施例の陶芸用ろくろ装置１によれば、支柱３が、ベース部材２に下端が固定された第一の支柱３ａと、第一の支柱３ａが軸方向にスライド自在に挿通された筒状の第二の支柱３ｂと、によって構成され、回転テーブル５、作業台４、肘掛部４ｅ、駆動モータ７等が第二の支柱３ｂに支持され、第一の支柱３ａに対して第二の支柱３ｂを上下にスライドするスライド機構を備えているので、陶芸作業者がスライド機構を操作し、回転テーブル５、作業台４、肘掛部肘掛部４ｅを好みの高さに調整でき、延いては、陶芸作業者が車椅子に着座した姿で快適に陶芸作業を行うことができる。
【００４１】
また、本実施例の陶芸用ろくろ装置１によれば、ハンドル１４を回動させることにより、第一の傘歯車１０及び第二の傘歯車１２を介してシャフト９を回動させ、第二の支柱３ｂを上下にスライドさせることができる。
【００４２】
また、本実施例の陶芸用ろくろ装置１によれば、ハンドル１４が支柱３の側方に備えられているので、車椅子に着座した陶芸作業者がハンドル１４に向い合ってハンドル１４を容易に操作できる。
【００４３】
また、本実施例の陶芸用ろくろ装置１によれば、駆動モータ７が回転テーブル５と支柱３との間に配設され、駆動モータ７を介して支柱３との反対側において、作業台４及び回転テーブル５の下方に空間部Ｈが構成されているので、車椅子に着座した陶芸作業者が、自らの脚部や車椅子に備えられたオットマン（足凭れ部）をこの空間部Ｈに収納でき、快適に陶芸作業を行える。
【００４４】
また、本実施例の陶芸用ろくろ装置１によれば、肘掛部４ｅが、回転テーブル５を介して支柱３とは反対側に作業台４から延出し、且つ、その延出方向と直交する向きに、回転テーブル５の両側外方に構成されていることにより、車椅子に着座した陶芸作業者が、回転テーブル５を介して支柱３とは反対側に位置し、肘部を部掛部４ｅに当てて腕を支え、快適に陶芸作業を行える。
【００４５】
また、本実施例の陶芸用ろくろ装置１によれば、肘掛部４ｅは、回転テーブル５の中心から支柱３を結ぶ直線方向において、その端部が、回転テーブル５の支柱３とは反対側の端部から略１００ｍｍ、且つ、その直線方向に直交する向きにおいて、肘掛部４ｅの内側寸法が略４００ｍｍ、肘掛部４ｅの外側寸法が略９００ｍｍ、に形成されているので、車椅子に着座した陶芸作業者が、肘部を肘掛部４ｅに当てて、陶芸作業に楽な姿勢を維持できる。
【００４６】
また、本実施例の陶芸用ろくろ装置１によれば、レバー回転軸６６とレバー５３との係合部は、互いに係合するスプライン溝及び凸部（図示せず）によって構成され、レバー回転軸６６に対するレバー５３の係合位置が、レバー回転軸６６の周方向に沿って任意に変えることができるように構成されているので、陶芸作業者が、レバー回転軸６６との係合部から延出するレバー５３を好みの向きに設定できる。
【００４７】
以上、本発明の一実施例について説明したが、本発明は、上記実施例に限定されるものではなく、種々の態様をとることができる。
【００４８】
例えば、本実施例の陶芸用ろくろ装置１において、駆動モータ７の回転軸７ａにプーリ１７を連結したが、駆動モータの回転軸７ａとプーリ１７との間を、減速歯車機構を介して連結してもよい。
【００４９】
また、本実施例の陶芸用ろくろ装置１において、第一の支柱３ａを筒状に形成し、その上端部に雌ねじが形成されたナット８を固定したが、ナット８を第一の支柱３ａと一体に形成してもよい。
【００５０】
また、本実施例の駆動用ろくろ装置１において、シャフト９をハンドル１４を回動することによって回動させる構成にしたが、ハンドル１４を設ける代わりに第二の傘歯車１２を回動させるためのモータを設けてもよい。
【００５１】
また、本実施例の駆動用ろくろ装置１において、肘掛部４ｅを作業台４と同一面に備えたが、作業台４と肘掛部４ｅとの間に段差を形成してもよい。また、肘掛部４ｅを肘の形状に合わせて作業台４の上面から凹ませてもよい。
【図面の簡単な説明】
【００５２】
【図１】本発明が適用された陶芸用ろくろ装置の正面図である。
【図２】同実施例の陶芸用ろくろ装置の、図１におけるＡ−Ａ断面図である。
【図３】同実施例の陶芸用ろくろ装置の、図２におけるＰ部詳細図である。
【図４】同実施例の陶芸用ろくろ装置の、図１における矢視Ｆ図である。
【図５】同実施例の陶芸用ろくろ装置の、図２におけるＢ−Ｂ断面図である。
【符号の説明】
【００５３】
１…陶芸用ろくろ装置、２…ベース部材、３…支柱、３ａ…第一の支柱、３ｂ…第二の支柱、３ｃ…蓋部、４…作業台、４ａ…作業台固定具、５…回転テーブル、６…肘掛部、７…駆動モータ、７ａ…モータ回転軸、８…ナット、９…シャフト、９ａ…ねじ、１０…第一の傘歯車、１５，３０…軸受、１２…第二の傘歯車、１３…回転軸、１４…ハンドル、１４ａ…取っ手、１６…どべ受け、１７，１８…プーリ、１９…ベルト、２０…テーブル回転軸、２１…ケーシング、２２…駆動制御装置、２３…ホルダー、２４，２４ａ…取付金具、２５…ホルダー、２６，２７，２９，３０…ボールベアリング、２８…軸受、３１…取付板、３５，３６，３７，３８…支持具、３９，４０，４１，４２…キャスター、５３…レバー、５３ａ…軸、５３ｂ…取っ手、５３ｃ…係合部、６１…ホルダー、６２…取付金具、６３…ポテンションメータ、６４…回転軸、６５，６７…ねじ部材、６６…レバー回転軸、６８…支持具。
【図１】
0004647937.tif 000002
【図２】
0004647937.tif 000003
【図３】
0004647937.tif 000004
【図４】
0004647937.tif 000005
【図５】
0004647937.tif 000006